(57)【要約】【課題】従来の籤は、籤としての情報が単純なため、籤を引く者に期待感を与えるデザイン的な要素がなく、また多目的使用を可能とするような形態でなかった。また、開封のために幾つもに切り裂かれた接着代は、塵として周囲に捨てられ環境面で問題があった。【解決手段】前記課題を解決するために、中央部に非接着部を有する２乃至３枚のシートの積層体において、１層目のシートには、折り曲げ部を有し扉状に開封されるための切り込みが前記非接着部に形成され、２層目の表面の非接着部には、籤情報が目視可能に印刷されていることを特徴とする籤を提供する。【選択図】図１
2004025536.tif 000002
【特許請求の範囲】
【請求項１】
中央部に非接着部を有する２乃至３枚のシートの積層体において、
１層目のシートには、折り曲げ部を有し扉状に開封されるための切り込みが前記非接着部に形成され、
２層目の表面の非接着部には、籤情報が目視可能に印刷されていることを特徴とする籤。
【請求項２】
前記切り込みは、曲線部と、直線部で構成され、開封の始点部を有することを特徴とする請求項１に記載の籤。
【請求項３】
前記１層目の表側の開封部周辺には、開封の始点を示すマーク、または文言が印刷されていることを特徴とする請求項１に記載の籤。
【請求項４】
前記籤情報は、レーザプリンタ、インクジェットプリンタのいずれかのプリンタによって印字されることを特徴とする請求項１〜３いずれか１項に記載の籤。
【請求項５】
前記プリンタによる印字情報の一部は１層目の裏側に形成されていることを特徴とする請求項４に記載の籤。
【請求項６】
前記プリンタによる印字情報の一部は３層目の裏側に形成されていることを特徴とする請求項１〜５いずれか１項に記載の籤。
【発明の詳細な説明】
【０００１】
【発明の属する技術分野】
本発明は、複数の固有情報の内包を可能とし、容易な開封部を有する籤に関する。
【０００２】
【従来の技術】
一般に使用される籤は、２つ折り、または２枚重ねの三角形を成す形態のものであって、何れも２乃至３辺が接着され、接着代の内側に切り取り用のラインが、点、または線で印刷されている。希には、前記切り取り用のラインに沿ってミシンが施されていて切り取り易くなっているものもある。
切り取り用のラインに沿って接着代を切り取ると、内側に籤情報が印刷、またはスタンプされており、当り籤の場合はその籤情報に基いて係の者から商品をもらうようになっている。
切り取られた接着代や、はずれ籤の多くは周辺に捨てられ塵となり、当り籤は係の者が一時保管のため所定の箱に収納する。
当り籤は、当り番号、または当り情報がスタンプで形成されており、はずれ籤は、“はずれ”と印刷されている。
通常、当り籤が圧倒的に少ないために、はずれ籤を印刷した後で、はずれの印刷部分を版から消去してブランクの籤を印刷し、当り情報をスタンプなどで形成している。
【０００３】
【発明が解決しようとする課題】
従来の籤は、籤としての情報が単純なため、籤を引く者に期待感を与えるデザイン的な要素がなく、また多目的使用を可能とするような形態でなかった。
また、開封のために幾つもに切り裂かれた接着代は、塵として周囲に捨てられ環境面で問題があった。
【０００４】
【課題を解決するための手段】
前記課題を解決するために提供する本発明の籤の請求項１に記載の発明は、中央部に非接着部を有する２乃至３枚のシートの積層体において、１層目のシートには、折り曲げ部を有し扉状に開封されるための切り込みが前記非接着部に形成され、２層目の表面の非接着部には、籤情報が目視可能に印刷されていることを特徴とするものである。
【０００５】
また、請求項２に記載の発明は、請求項１に記載の発明において、切り込みは、曲線部と、直線部で構成され、開封の始点部を有することを特徴とするものである。
【０００６】
また、請求項３に記載の発明は、請求項２に記載の発明において、１層目の表側の開封部周辺には、開封の始点を示すマーク、または文言が印刷されていることを特徴とするものである。
【０００７】
また、請求項４に記載の発明は、請求項１〜３いずれか１項に記載の発明において、籤情報は、レーザプリンタ、インクジェットプリンタのいずれかのプリンタによって印字されることを特徴とするものである。
【０００８】
また、請求項５に記載の発明は、請求項４に記載の発明において、プリンタによる印刷情報の一部は１層目の裏側に形成されていることを特徴とするものである。
【０００９】
また、請求項６に記載の発明は、請求項１〜５いずれか１項に記載の発明において、プリンタによる印刷情報の一部は３層目の裏側に形成されていることを特徴とするものである。
【００１０】
【発明の実施の形態】
以下、図面を参照して、本発明の例示的一対応としての籤について説明する。図１は、本発明の籤の開封前の外観図及び開封後の外観平面図、図２は、本発明の籤の、図１以外の実施形態の一例について説明するための外観平面図、図３は、本発明の籤の図１、２以外の実施形態の一例について説明するための外観平面図、図４は、開封部を示すマーク及び文言の一例について説明するための図、図５は、図１の籤が２層の場合のＡ−Ａ線断面図、図６は、図１の籤が３層の場合のＡ−Ａ線断面図、図７は、図５の変形、図８は、図６の変形、図９は、２層構成の籤の接着前のシートの平面図、図１０は、当り籤の接着前のシートの印字面の平面図、図１１は、３層構成の籤の接着前のシートの平面図、図１２は、切込みの形状の一例である。
【００１１】
図１を参照して本発明の籤の概要について説明する。
図１のａ図は、本発明の籤の開封前の表側平面図である。図ａでは、籤の形状が横長の長方形を成しているが、縦長でも、正方形でも良い。
また、発行する籤の内容によって、動物の形をした籤でも、魚や、果物の形をした籤でも良い。このように、本発明の引っ張って開封する開封形態をとる場合は、外観の形状にはほとんど影響されない。
【００１２】
ｂ図を参照すると解るように、籤１の周辺部は接着部１７で接着されて、籤の当り情報が覗けないようになっている。接着された糊代の内側には切込み１４が形成されている。
ａ図に示すように籤の右中央部、矢印（開封部表示１１）の前方に鉢を伏せたような形状の切込み部が形成されている。この切込み部を始点として爪などでめくり、ａ図の左側方向に引っ張ると、右側の縦方向に形成された曲線を含んだ切込みが順次破壊され、右側上下に形成されている角の切込みパターンに到達する。そこから左側に破壊が進み、切込みの最終パターンに到達し、ｂ図のような開口部が出現する。
切込み１４によって左側に扉状に開けられた第１層目のシートは、第２層目または、第２層と第３層の積層されたシートとａ図の左端の１点破線で示す折り曲げ部１４１で折り曲げられる。
開封された扉１３は、第２層と第３層の積層されたシートと折り曲げ部で接続されているために、扉の部分だけが切り離されて捨てられ、塵になることはない。
開封後の扉部１３（第１層目の内側）には、プリンタで印字された籤情報１５２、または印刷された籤情報が形成されている。
【００１３】
図１のｂ図のように当り籤の場合は、プリンタにより印字される当り籤情報１５が第２層目の表側、非接着部に印字され、それに関連した籤情報１５２が第１層目の内側（裏側）、非接着部に印字されている。
図示していないが、はずれ籤の場合は、前記それぞれの層の非接着部にはずれ情報が印刷されている。
【００１４】
図２のｃ図に示す籤１は、図１のａ図と同形態の籤である。図２のｄ図は、開封部１１が平面図左側に形成されている。ｃ図に示す籤１と、ｄ図に示す籤１の違いは、印刷された文言を読める位置に置いた時に右から開封するか左から開封するかの違いである。どちらかが開け難い場合は、印刷の向きをさかさまにすれば同じになるため、デザイン的にどちらが良いかの問題だけである。開封部の表示は、大きな矢印が開封用の切込みの部分に印刷されている。矢印の傍に文言で“ここから開封してください”などと記載しても良い。
【００１５】
図３のｅ図に示す籤１は、開封部１１が平面図右上に、ｆ図に示す籤１は、開封部１１が平面図右下に形成されている。開封部の表示は、大きな矢印が開封用の切込みの部分に印刷されている。矢印の傍に文言で“ここから開封してください”などと併記しても良い。
【００１６】
前述のように開封部分の表示は、図４のｇ図に示すように、矢印１１だけで表示する場合と、ｈ図に示すように文言１２で表示する場合と、矢印１１に文言１２を併記する場合がある。籤の大きさが小さい場合は、スペースの関連で矢印だけ印刷することが多い。
【００１７】
図５は、図１のａ図のＡ−Ａ線断面図で、籤が２層構成の場合である。同じ２層の場合でも図７のような構成にする場合もある。図５と、図７の違いは、１層目のシートと２層目のシートを連接させるか別々にするかの違いで作製し易い方法を選択すれば良い。
図５に示す断面構成の籤は、図９、図１０に示すように１層目と２層目が中央で繋がっている。
上記シートの片側に接着剤を塗布し、接着剤を塗布した面を内側にして中央で２つ折りにし、接着することによって閉じた２層の積層体とする。
図５の非接着部には、プリンター、例えばインクジェットプリンタ等により籤情報１５が印字され、切込み１４が形成されて接着剤１７によって袋状の積層体とする。
当り籤の場合は、籤情報１５は、プリンタなどで印字されるが、印刷によって籤情報を形成しても良い。
籤のほとんどを占めるはずれ籤は、大量に作製するために籤情報１５は、印刷によって形成される。
１層目に形成される籤情報１５２は、図１０でわかるように２層目の当りの籤情報１５を印字する際に一緒に印字する。
【００１８】
籤情報をプリントするプリンタの種類は、籤の製造方法によって選択される。籤を連続紙で印刷し、連続紙の状態で当り情報などの籤情報を印字する場合は、レーザープリンタ、静電転写方式のプリンタが多く使用される。
当り籤の数が少ないために、シート状にして印字する場合は、インクジェット方式のプリンタが使用される。
当り情報は、ゴム版などで押印される場合もあるが、その場合、籤情報に関連させた情報を印字することが出来ないために籤が実施される状況によってプリンタによるか、それ以外の方法によるか選択される。
【００１９】
図６に示す断面図は、図１に示す籤が３層構成となっている場合の断面である。
籤の状態に積層される前は、例えば、図１１のようになっていて、図１１のｉ図のように、当り情報が印字されている中央の紙片（２層目）の左の紙片が１層目、右の紙片が３層目になっている。
図１１のｉ図の左紙片には、籤関連情報１５２が印字され、切込み１４が形成されている。また、左紙片の１層目と、中央紙片の２層目は印字面の周辺に沿って接着剤１７０が塗布されている。
また右の紙片にも籤関連情報１５１が印字されており、ｊ図に示すように中央の紙片と、右側紙片の裏側即ち、非印字面の切断部周辺に沿って接着剤１７０が塗布されており、ｊ図のように“Ｚ状”に折り曲げられて接着され、図６に示すような３層構成の籤１になる。
【００２０】
本発明の２層、３層構成の籤は、籤に関連する多くの固有情報を搭載させる必要がある場合に使用される。
例えば、電化製品を販売する量販店のキャンペーン期間中に販売されるオーデオ製品に対して籤が添付され、ヘッドホーン、ＡＤ変換装置、電池等をサービスする場合に使用される。
関連印字情報として、例えば、上記オプション製品の使用方法や、提供してくれる系列の販売店の住所などが印字されている。
【００２１】
図７、図８は、図５、図６の変形である。
図７は、図５において接着剤のパターンを変更し中央の折り曲げ部にも接着剤を配し、２層に積層した後、左端を裁断することによって得られるものである。
【００２２】
図８は、図６の変形であるが、図６において折り曲げ部分にも接着剤を配し、３層に積層した後、左端を裁断することによって得られるものである。
【００２３】
また、図７、図８に示す積層構成は、２層目、または３層目のシートを１層目の下に単純に重ねて積層することによっても得られる。この場合２層目には印字による籤情報を形成するが、１層目、３層目には関連情報を印字しない場合に適用される。また、固有情報は印字しないはずれ籤等に適用できる。
【００２４】
（実施例１）
７７．５ｇ／ｍ２の上質紙をＡ１版（５９４ｍｍ×８４１ｍｍ）に切断し、仕上がり寸法、６０ｍｍ×４９ｍｍの籤を短辺方向に４面、長辺方向に１６面、合計６４面付けで印刷した。印刷方式は、オフセット方式を使用し、紫外線硬化タイプのインキを使用し、表、裏各２色印刷とした。
印刷後Ａ１版をＡ３版の大きさに裁断し、保管した。
次に、切込み加工に使用する抜き型を下記仕様で作製した。
切込み部のそれぞれの寸法は、図１２の切り込み１４２、１４３の長辺方向×短辺方向の寸法を６ｍｍ×３ｍｍ，切込み１４２、１４３のピッチを８ｍｍ，切込み１４４の長辺方向×短辺方向の寸法を１５ｍｍ×３ｍｍ，切込み１４５は鍵状の１辺の長さを８ｍｍとした。
Ａ３版に裁断した１６面付けの印刷物の１層目相当部分に上記抜き型で切り込み加工を行った。
次に、１６面付けを８面付けのサイズに裁断し、中央で折りながら接着剤をパターンコートし、積層した。
接着剤は、酢酸ビニル系のエマルジョンを使用した。
当り籤をプリントするためにＡ３版がプリントできるインクジェットプリンタで籤情報をプリントした。１等から５等までの当り籤を、Ａ３版で２セット分、１０枚にプリントし前記折り兼接着装置で２層に積層した。
プリント品質、接着品質を検査し良品のセットを５枚残し、残りの５枚は破棄した。
接着剤が乾くのを待って、当り籤、はずれ籤別々に仕上がりサイズ、６０ｍｍ×４９ｍｍに裁断した。
【００２５】
（実施例２）
６０．２ｇ／ｍ２のコート紙を使用し、Ａ２版（５９４ｍｍ×４２０ｍｍ）に切断し、仕上がり寸法、６０ｍｍ×４９ｍｍの籤を長辺方向に８面、短辺方向に８面、合計６４面付けで印刷した。
印刷において１層目と２層目を別々のシートに分けてオフセット方式で紫外線硬化タイプのインキを使用し、表、裏各２色刷とした。
印刷後Ａ２版をＡ３版の大きさに裁断して保管した。
次に、１層目のシートに切込みを入れるために抜き型を下記仕様で作製した。切込み部のそれぞれの寸法は、図１２の切り込み１４２、１４３の長辺方向×短辺方向の寸法を６ｍｍ×３ｍｍ，切込み１４２、１４３のピッチを８ｍｍ，切込み１４４の長辺方向×短辺方向の寸法を１５ｍｍ×３ｍｍ，切込み１４５は鍵状の１辺の長さを８ｍｍとした。
Ａ３版の印刷物の１層目シートに、上記抜き型で切り込み加工を行った。
次に、２層目のシートに接着剤をパターンコートし、その上に１層目のシートを載せて２層に積層した。接着剤は、酢酸ビニル系のエマルジョンを使用した。当り籤をプリントするためにＡ３版がプリントできるインクジェットプリンタで籤情報をプリントした。１等から５等までの当り籤を、２層目のシート６枚にプリントし、前記接着剤のパターンコート装置で接着剤を塗布し、１層目のシートを重ねて２層に積層した。
プリント品質と、接着品質を検査し良品のセットとして３枚を残し、残りの３枚は破棄した。
接着剤が乾くのを待って、当り籤、はずれ籤を仕上がりサイズ、６０ｍｍ×４９ｍｍに裁断した。
【００２６】
【発明の効果】
本発明の籤により以下に記載の効果が期待できる。
１）請求項１に記載の発明のごとく、中央部に非接着部を有し、同質のシートで構成された２乃至３層の積層体において、１層目のシートには非接着部の境界に沿って開封のための切り込みが形成され、２層目の表面の非接着部には、籤情報が目視可能に印刷されていることにより、開封が容易で明確に当り、はずれが視認できる。
更に、切り取られた部分は籤本体に繋がった状態になっているために、塵を発生させることが無く周囲の環境を汚さない。
２）請求項２に記載の発明のごとく、切り込みを曲線部と、直線部で構成し、開封の始点部を配することによって容易に開封でき、籤情報を破損することが無く、また切り取った後の塵を発生することが無い。
３）請求項３に記載の発明のごとく、１層目の表側の開封部周辺に開封の始点を示すマーク、または文言が印刷されていることによって開封の始点を識別することが出来る。
４）請求項４に記載の発明のごとく、籤情報は、インクジェットプリンタによって印字されるため籤情報の表現を自由に行うことが可能になる。
５）請求項５、請求項６に記載の発明のごとく、インクジェットプリンタによる印字情報の一部は１層目、３層目の裏側に形成されることにより、多くの籤関連情報を印字することが出来る。
６）従来の籤は、籤としての情報が単純なため多目的使用を可能とするような形態ではなかった。本発明の２層、３層構成を成す籤は、籤に関連する多くの固有情報を搭載させることができるため籤のアプリケーションを広げることが出来る。
【図面の簡単な説明】
【図１】本発明の籤の開封前の外観図、及び開封後の外観平面図
【図２】本発明の籤の図１以外の実施形態の一例について説明するための外観平面図
【図３】本発明の籤の図１、２以外の実施形態の一例について説明するための外観平面図
【図４】開封部を示すマーク及び文言の一例について説明するための図
【図５】図１の籤が２層の場合のＡ−Ａ線断面図
【図６】図１の籤が３層の場合のＡ−Ａ線断面図
【図７】図５の変形例
【図８】図６の変形例
【図９】２層構成の籤の接着前のシートの平面図
【図１０】当選籤の接着前のシートの印字面の平面図
【図１１】３層構成の籤の接着前のシートの平面図
【図１２】切込みの形状の一例
【符号の説明】
１　　　籤
１０　　籤製造時の中間製品
１１　　開封部表示マーク
１２　　開封部表示文言
１３　　開封後の扉
１４　　切込み
１５　　印字材料による籤情報
１６　　印刷情報
１７　　接着部
１８、１９、２０、２１、２２、１７０　接着剤
１４１　折り曲げ部
１４２、１４３、１４４、１４５　切込みの形状
１５１、１５２　印刷情報を含む籤情報
【図１】
2004025536.tif 000003
【図２】
2004025536.tif 000004
【図３】
2004025536.tif 000005
【図４】
2004025536.tif 000006
【図５】
2004025536.tif 000007
【図６】
2004025536.tif 000008
【図７】
2004025536.tif 000009
【図８】
2004025536.tif 000010
【図９】
2004025536.tif 000011
【図１０】
2004025536.tif 000012
【図１１】
2004025536.tif 000013
【図１２】
2004025536.tif 000014